(57)【要約】【課題】  従来における操作杆を足で踏み込み昇降用シリンダに油を供給するものにあっては、１回毎の操作杆の踏み込みにおいて昇降用シリンダへの油の供給が停止するために、油圧シリンダへの油の停止毎に座部が停止することとなり、被施術者に対してショックを与え不快感を与えるという問題があった。【解決手段】  操作杆１が上昇することで油を吸引し、操作杆を踏み込むことで貯留されている油を排出し、かつ、前記操作杆を最下降位置まで踏み込むことで貯留されている油を排出する足踏みポンプ３と、該足踏みポンプより排出される油の油圧によって開放され、前記足踏みポンプを最下位位置まで下降させると開放され、かつ、逆止側からの油を通過させて前記足踏みポンプを介して油タンクに戻す逆止弁５と、該逆止弁の逆止側にオリフィス等の流量調整手段を介して接続された座部昇降用の昇降用シリンダ７と、前記逆止弁の前記逆止側に前記流量調整手段と並列的に接続されたアキュムレータ６とから構成した椅子昇降用油圧装置である。【選択図】        図１
2006280582.tif 000002
【特許請求の範囲】
【請求項１】
操作杆が上昇することで油を吸引し、操作杆を踏み込むことで貯留されている油を排出し、かつ、前記操作杆を最下降位置まで踏み込むことで貯留されている油を排出する足踏みポンプと、
該足踏みポンプより排出される油の油圧によって開放され、前記足踏みポンプを最下位位置まで下降させると開放され、かつ、逆止側からの油を通過させて前記足踏みポンプを介して油タンクに戻す逆止弁と、
該逆止弁の逆止側にオリフィス等の流量調整手段を介して接続された座部昇降用の昇降用シリンダと、
前記逆止弁の前記逆止側に前記流量調整手段と並列的に接続されたアキュムレータとから構成し、
前記足踏みポンプより供給される油の一部を前記アキュムレータに貯留すると共に昇降用シリンダにも供給して上昇させ、前記足踏みポンプよりの油の供給が停止されると前記アキュムレータに貯留されている油により昇降用シリンダを上昇し続け、また、前記逆止弁が前記足踏みポンプによって開放されると前記アキュムレータおよび昇降用シリンダ内の油が前記足踏みポンプ内を介して油タンクに戻されることを特徴とする椅子昇降用油圧装置。
【請求項２】
操作杆が上昇することで油を吸引し、操作杆を踏み込むことで貯留されている油を排出し、かつ、前記操作杆を最下降位置まで踏み込むことで貯留されている油を排出する足踏みポンプと、
該足踏みポンプより排出される油の油圧によって開放され、前記足踏みポンプを最下位位置まで下降させると開放され、かつ、逆止側からの油を通過させて前記足踏みポンプを介して油タンクに戻す第１の逆止弁と、
前記足踏みポンプよりの油が前記第１の逆止弁を介して供給されると油の一部を貯留するアキュムレータと、
前記足踏みポンプからの前記第１の逆止弁を介して供給される油の油量を絞るオリフィス等の流量調整手段と、
該流量調整手段と並列接続され前記足踏みポンプよりの油の流れを阻止する第２の逆止弁と、
前記第１の流量調整手段および前記第２の逆止弁に接続された昇降用シリンダと、
から構成し、前記足踏みポンプより供給される油の一部を前記アキュムレータに貯留すると共に前記第１の流量調整手段を介して昇降用シリンダに供給して上昇し、前記足踏みポンプよりの油の供給が停止されると前記アキュムレータに貯留されている油が前記流量調整手段を介して前記昇降用シリンダに供給されて上昇し、また、前記第１の逆止弁が前記足踏みポンプによって開放されると、前記アキュムレータよりの油が前記第１の逆止弁から前記足踏みポンプを介して油タンクに戻され、また、前記昇降用シリンダ内の油が前記第２の逆止弁から前記足踏みポンプを介して油タンクに戻されることを特徴とする椅子昇降用油圧装置。
【請求項３】
前記アキュムレータに対して並列に、前記昇降用シリンダにおける下降の始動時および停止時のショックを緩和するための低圧力で作動する第２のアキュムレータを接続したことを特徴とする請求項１または２記載の椅子昇降用油圧装置。
【請求項４】
前記第２の逆止弁に第２のオリフィス等の流量調整手段を形成したことを特徴とする請求項２に記載の椅子昇降用油圧装置。
【請求項５】
前記足踏みポンプの排油経路中に第２のオリフィス等の流量調整手段を形成したことを特徴とする請求項２に記載の椅子昇降用油圧装置。
【発明の詳細な説明】
【技術分野】
【０００１】
本発明は、理美容用椅子や歯科用椅子、特に、理容用椅子において、施術を行う際に座部の上昇を足踏み用の操作杆を施術者が踏み込むことで行う椅子であって、前記操作杆を踏み込むことで椅子の上昇、下降を制御する椅子昇降用油圧装置の改良に関する。
【背景技術】
【０００２】
従来における椅子、例えば、理美容用椅子には電動式のポンプを利用して油圧シリンダに油を供給するものと、前記した操作杆を足で踏み込み油圧シリンダに油を供給するものとがある。そして、電動式のポンプを利用した椅子の昇降装置として、例えば、実開平４−５２６３４号公報に記載の考案がある。このような電動式ポンプによって椅子を上昇させるものにあっては、ポンプによって連続して油が油圧シリンダに供給されることから連続的に座部が所望の位置まで上昇することとなる。従って、上昇途中で着座している被施術者にショックを与えるということはなかった。
【０００３】
一方、操作杆を足で踏んで油タンクから油を供給する簡易な椅子（美容用に多く採用されている）、例えば、本出願人会社のホームページにおけるＵＲＬ（ http://www.takarabelmont.co.jp/ribiyou/index.html）で紹介している椅子の場合には、１回踏むことで昇降用シリンダに油圧シリンダから１回分の油が供給されるものであることから、被施術者を所望の高さ位置まで上昇させるには複数回操作杆を踏むことになる。
【特許文献１】実開平４−５２６３４号公報
【非特許文献１】http://www.takarabelmont.co.jp/ribiyou/index.html
【発明の開示】
【発明が解決しようとする課題】
【０００４】
ところで、前記した操作杆を足で踏み込み昇降用シリンダに油を供給するものにあっては、１回毎の操作杆の踏み込みにおいて昇降用シリンダへの油の供給が停止するために、油圧シリンダへの油の停止毎に座部が停止することとなり、被施術者に対してショックを与え不快感を与えるという問題があった。
【０００５】
本発明は前記した問題点を解決せんとするもので、その目的とするところは、操作杆の踏み込みと次の踏み込みとの間にアキュムレータに貯留されている油を昇降用シリンダに供給することで、昇降用シリンダが停止することなく連続して上昇し、従って、被施術者に対してショックを与え不快感を与えることがなく、また、操作杆を最下部まで踏み込むことで足踏みポンプと一体に取付けられている制御杆が排油バルブを開放して、昇降用シリンダとアキュムレータ内の油をタンク内に戻すことができるので、構造が簡単となりコストの低下を図ることができる椅子昇降用油圧装置を提供せんとするにある。
【課題を解決するための手段】
【０００６】
本発明の椅子昇降用油圧装置は前記した目的を達成せんとするもので、請求項１の手段は、操作杆が上昇することで油を吸引し、操作杆を踏み込むことで貯留されている油を排出し、かつ、前記操作杆を最下降位置まで踏み込むことで貯留されている油を排出する足踏みポンプと、該足踏みポンプより排出される油の油圧によって開放され、前記足踏みポンプを最下位位置まで下降させると開放され、かつ、逆止側からの油を通過させて前記足踏みポンプを介して油タンクに戻す逆止弁と、該逆止弁の逆止側にオリフィス等の流量調整手段を介して接続された座部昇降用の昇降用シリンダと、前記逆止弁の前記逆止側に前記流量調整手段と並列的に接続されたアキュムレータとから構成し、前記足踏みポンプより供給される油の一部を前記アキュムレータに貯留すると共に昇降用シリンダにも供給して上昇させ、前記足踏みポンプよりの油の供給が停止されると前記アキュムレータに貯留されている油により昇降用シリンダを上昇し続け、また、前記逆止弁が前記足踏みポンプによって開放されると前記アキュムレータおよび昇降用シリンダ内の油が前記足踏みポンプ内を介して油タンクに戻されることを特徴とする
【０００７】
請求項２の手段は、操作杆が上昇することで油を吸引し、操作杆を踏み込むことで貯留されている油を排出し、かつ、前記操作杆を最下降位置まで踏み込むことで貯留されている油を排出する足踏みポンプと、該足踏みポンプより排出される油の油圧によって開放され、前記足踏みポンプを最下位位置まで下降させると開放され、かつ、逆止側からの油を通過させて前記足踏みポンプを介して油タンクに戻す第１の逆止弁と、前記足踏みポンプよりの油が前記第１の逆止弁を介して供給されると油の一部を貯留するアキュムレータと、前記足踏みポンプからの前記第１の逆止弁を介して供給される油の油量を絞るオリフィス等の流量調整手段と、該流量調整手段と並列接続され前記足踏みポンプよりの油の流れを阻止する第２の逆止弁と、前記第１の流量調整手段および前記第２の逆止弁に接続された昇降用シリンダとから構成し、前記足踏みポンプより供給される油の一部を前記アキュムレータに貯留すると共に前記第１の流量調整手段を介して昇降用シリンダに供給して上昇し、前記足踏みポンプよりの油の供給が停止されると前記アキュムレータに貯留されている油が前記流量調整手段を介して前記昇降用シリンダに供給されて上昇し、また、前記第１の逆止弁が前記足踏みポンプによって開放されると、前記アキュムレータよりの油が前記第１の逆止弁から前記足踏みポンプを介して油タンクに戻され、また、前記昇降用シリンダ内の油が前記第２の逆止弁から前記足踏みポンプを介して油タンクに戻されることを特徴とする。
【０００８】
請求項３の手段は、前記した請求項１又は２において、前記アキュムレータに対して並列に、前記昇降用シリンダにおける下降の始動時および停止時のショックを緩和するための小容量の第２のアキュムレータを接続したことを特徴とする。
【０００９】
請求項４の手段は、前記した請求項２において、前記第２の逆止弁に第２のオリフィス等の流量調整手段を形成したことを特徴とし、請求項５手段は、前記した請求項２において、前記足踏みポンプの排油経路中に第２のオリフィスを形成したことを特徴とする。
【発明の効果】
【００１０】
本発明は前記したように、足踏みポンプより供給される油の一部を前記アキュムレータに貯留すると共に昇降用シリンダにも供給して上昇させ、前記足踏みポンプよりの油の供給が停止されると前記アキュムレータに貯留されている油により昇降用シリンダを上昇し続け、また、前記逆止弁が前記足踏みポンプによって開放されると前記アキュムレータおよび昇降用シリンダ内の油が前記足踏みポンプ内を介して油タンクに戻されるので、昇降用シリンダの上昇時における操作杆の停止時にも昇降用シリンダは停止することなく連続して上昇し、着座している被施術者に対してショックを与え不快感を与えることがなく、また、逆止弁が逆方向からの油の通過を可能するとアキュムレータおよび昇降用シリンダ内の油が同時に油タンクに戻されるので、昇降用シリンダの下降もショックなく行われ被施術者に不快感を与えることがなく、かつ、油タンクへの油は足踏みポンプを介して行なわれるので、油圧装置全体の小型化を図ることができる。
【００１１】
さらに、昇降用シリンダよりのタンクへの排油は第２の逆止弁を介して行なわれるようにしたので、昇降用シリンダへの油の供給と排油とが別経路となっり昇降用シリンダの上昇速度と下降速度を可変することが可能となる。
【００１２】
また、第２の逆止弁よりの排油量を第２のオリフィスで調整することが可能としたことから、昇降シリンダの下降速度を速くすることが可能となって施術作業の迅速化が図れる。
【００１３】
また、低圧力で作動するアキュムレータを大容量のアキュムレータと直列接続したことで、昇降用シリンダの下降始動時および停止時に小容量のアキュムレータよりの油が徐々に油タンクに戻され、従って、始動時と停止時にショックを与えることがない等の効果を有するものである。
【発明を実施するための最良の形態】
【００１４】
本発明は、操作杆の踏み込みと踏み込みとの間にアキュムレータに貯留されている油を昇降用シリンダに供給して、該昇降用シリンダが連続的に上昇するようにし、また、昇降用シリンダの下降は足踏みポンプを最下降位置まで下降することで行える。
【実施例１】
【００１５】
次に、本発明に係る椅子昇降用油圧装置の一実施例を図１〜図５と共に説明する。
１は図示しない本体ケースに対して回動自在に軸支され、施術者が足で踏み込むことで回動する操作杆、２は該操作杆１と共に回動する押圧杆、３は前記操作杆１を踏み込んで押圧杆２を下方に回動するとピストンロッド３１が下降してシリンダ３２内に貯留されている油を圧縮される足踏みポンプである。
【００１６】
前記足踏みポンプ３は前記押圧杆２によってスプリング３２のバネ力に抗して下降するピストンロッド３１と、該ピストンロッド３１に取付けられたピストン３３と、該ピストン３３が上昇することで油を貯留するシリンダ３４とから構成され、シリンダ３４の下部は油タンク４内に収容されている。
【００１７】
前記シリンダ３４の前記油タンク４に開口する油排出孔３４ａが形成され、また、シリンダ３４の油タンク４の油が存在する部分に開口する給油孔３４ｂが開口されている。なお、シリンダ３４の底部には前記給油孔３４ｂと連通する縦給油孔３５ａが形成された弁体３５が内蔵され、また、この弁体３５の上には前記ピストン３３が上昇すると前記縦給油孔３５ａが開放して油タンク４より油の吸引が行われ、ピストン３３が下降すると縦給油孔３５ａを閉塞する弁３６が載置されている。
【００１８】
前記ピストン３３の軸長方向には後述する第１の逆止弁５のボール５１をスプリング５２のバネ力に抗して下降させる排油用孔３７ａを有する制御杆３７が内蔵されている。また、ピストン３３には、該ピストン３３が最下降位置に達した時に、前記した排油孔３４ａと前記排油用孔３７ａを連通するための連通孔３３ａが開口されている。
【００１９】
前記シリンダ３４における前記弁体３５の下部にはボール５１および該ボール５１をバネ付勢するスプリング５２からなる第１の逆止弁５が内蔵され、該逆止弁５の下部にはガス式アキュムレータ６がオリフィスを兼ねるパイプ６ａを介して接続されている。そして、このアキュムレータ６は前記足踏みポンプ３および後述する昇降用シリンダ７とは別構成となっているので、足踏みポンプ３と昇降用シリンダ７のみからなる油圧装置がある場合には、アキュムレータ６およびオリフィスを兼ねるパイプ６ａを後付けすることで本発明の効果を得ることができる。
【００２０】
このガス式アキュムレータ６は油が供給されるとガス室内のガスが圧縮され、該油の供給が解除されると貯留されている油を排出する構造のものであり、アキュムレータ６としてはガス式の方が小型化に有効であるが、必ずしもガス式に限定されるものではなくスプリング式のものであってもよい。
【００２１】
７は昇降杆７１の上部に理美容椅子の座部分が回転自在に軸支される昇降用シリンダにして、シリンダ７２における下部油室と前記足踏みポンプ３における前記第１の逆止弁５との間には第１の流量調整が可能な流量調整手段（以下、第１のオリフィスという）８１と第２の流量調整が可能な流量調整手段（以下、第２のオリフィスという）８２および第２の逆止弁８３とからなる弁部材８が取付けられている。
【００２２】
前記弁部材８における第２の逆止弁８３は一端が開口され他端が油の流量を絞る第２のオリフィス８２となっている筒状に形成され、内部には前記第２のオリフィス８２を封止するホール８３ａと、該ボール８３ａをバネ付勢するスプリング８３ｂとから構成され、また、前記第２のオリフィス８２が形成された壁面には前記ボール８３ａによって閉塞されていない位置に第１のオリフィス８１が形成されている。
【００２３】
図５は椅子昇降用油圧装置を油圧回路として示したものであり、前記した構造の符号と同じものは同一の符号で示している。
この油圧回路において、符号３６を逆止弁の記号で示しているが、弁３６はピストン３３が上昇すると油室が負圧となって油タンク４より油を吸引し、ピストン３３が下降すると弁３６が縦給油孔３５ａを閉塞するので、結果的に逆止弁と同様な動作するので逆止弁の記号で示している。
【００２４】
また、符号９は前記したアキュムレータ６と並列に接続された他のアキュムレータを示し、このアキュムレータ９はアキュムレータ６が大容量のものであり、例えば、直径が１２〜２４ｍｍ、ガス圧が１．３〜２．５ＭＰａである場合に、アキュムレータ９は直径が４〜１２ｍｍ、ガス圧が０．５〜１．０ＭＰａの小容量のものである。そして、このアキュムレータ９を採用することで、昇降用シリンダ７におけるピストン７１の降下始動時および停止時にショックを軽減することができる。なお、前記したアキュムレータ６，９は容量を異ならしめた場合について説明したが、２つのアキュムレータ６，９はピストンのストロークを異ならしめたものであってもよい。
【００２５】
次に、前記した構成に基づいて本発明の椅子昇降用油圧装置の動作を説明する。
先ず、昇降用シリンダ７のピストンが最下降位置にあり、また、アキュムレータ６内に油がガス圧によって排出されている状態において、操作杆１を施術者が踏み込む回動させると、押圧杆２も回動するので足踏みポンプ３のピストンが下降して油室内の油が弁３６と制御杆３７との隙間および該制御杆３７と弁体３５との隙間を介して第１の逆止弁５のボール５１をスプリング５２のバネ力に抗して押し下げるので、前記油は弁部材８の第１のオリフィス８１を介して昇降用シリンダ７内に供給されると共にパイプ６ａを介してアキュムレータ６および９内にも供給される。
【００２６】
ここで、アキュムレータ６，９内に供給される油量は、第１のオリフィス８１の径が小さければ少なくなり、大きければ多くなるので、ピストン７１の上昇速度を速くする場合には第１のオリフィス８１の径を大きくする。また、逆に速度を遅くする場合には径を小さくするというように、製作時の設計によって決定する必要がある。
【００２７】
前記操作杆１より足を離すとスプリング３２によってピストン３１は上昇するが、この上昇に伴って足踏みポンプ３の油室内が負圧となるので、弁３６は引き上げられ、給油孔３４ｂ、縦給油孔３５ａを介して油タンク４より油が油室内に貯留される。
【００２８】
一方、前記足踏みポンプ３よりの油供給が停止されると、主にアキュムレータ６内に貯留されている油がガス圧によって加圧されているので、該アキュムレータ６よりパイプ６ａを介してアキュムレータ６内の油が弁部材８の第１のオリフィス８１を介して昇降用シリンダ７の油室内に供給される。従って、昇降用シリンダ７のピストンは足踏みポンプ３よりの油の供給が停止しても連続して上昇することになるので、ピストン７１はスムースに上昇して着座している被施術者にショックを与えることなく不快感を与えることがない。
【００２９】
なお、アキュムレータ６を足踏みポンプ３から昇降用シリンダ７に供給するための経路と同じ経路に接続したので、昇降用シリンダ７のピストン７１の上下動時にアキュムレータ６の油によってショックの軽減を図ることができる。
【００３０】
以下、同様に操作杆１を踏み込むと足踏みポンプ３より油が昇降用シリンダ７に供給され、次いで、足を操作杆１から離すとアキュムレータ６から供給されるので、座部を所望の高さ位置に達するまで繰り返し行う。
【００３１】
次に、施術が終了するなどにおいて、座部を下降させるための動作について説明するに、この場合には、操作杆１を最下降位置まで踏み込んでピストン３３を最下降位置まで下降させると、制御杆３７が第１の逆止弁５におけるボール５１をスプリング５２のバネ力に抗して下げるので、弁体３５のボール５１によって閉塞された弁部が開口され、また、この位置において排油孔３４ａと排油用孔３７ａが連通孔３３ａを介して連通されるので、アキュムレータ６に貯留されている油が油タンク４に戻される。
【００３２】
一方、昇降用シリンダ７内に貯留されていた油は、前記第１のオリフィス８１を介して前記アキュムレータ６よりの油と同じ経路で油タンク４内に戻されると共に、昇降用シリンダ７内に貯留されている油圧によって第２の逆止弁８３のボール８３ａがスプリング８３ｂのバネ力に抗して後退するので、前記貯留されている油は第２のオリフィス８２を介して前記オリフィス８１と同様に油タンク４に戻される。
【００３３】
従って、昇降用シリンダ７に貯留している油は、第１，第２のオリフィス８１，８２を介して排出されるので、ピストン７１の下降速度は速くなって次の作業への迅速化が図れる。そして、この下降はアキュムレータ６および昇降用シリンダ７内の油の残量が所定量になった時点で停止するが、昇降用シリンダ７とアキュムレータ６および９よりの油の排出が同時に行われるので、ピストン７１の下降始動時と停止時にショックを受けることなくスムースに行われる。
【００３４】
なお、ピストン７１の下降途中で操作杆１より足を離すと前記第１の逆止弁５のボール５１がスプリング５２のバネ力によって弁部が閉塞されるので、昇降用シリンダ７よりの油は第１、第２のオリフィス８１，８２を介してアキュムレータ６，９内に貯留され、次のピストン７１の上昇に備える。
【００３５】
また、前記した実施例では第２のオリフィス８２を弁部材８に形成したものを示したが、第２のオリフィス８２は足踏みポンプ３におけるピストン３３に形成した連通孔３３ａやシリンダ３４に形成した排油孔３４ａあるいは排油用孔３７ａ等の下降時の流路にオリフィスを形成してもよい。
【産業上の利用可能性】
【００３６】
本発明の椅子昇降用油圧装置は、理美容椅子に限定されるものではなく、足踏み式の他の椅子やベッド等にも応用可能である。
【図面の簡単な説明】
【００３７】
【図１】本発明に係る椅子昇降用油圧装置の一実施例を示す足踏みポンプのピストンが上昇し油タンクよりの油を吸引している状態時の断面図である。
【図２】同上のシリンダが下降して油を昇降用シリンダおよびアキュムレータに供給している状態の断面図である。
【図３】同上のシリンダが最下降位置にあり昇降用シリンダおよびアキュムレータ内の油を油タンク内に戻している状態の断面図である。
【図４】図２の要部の拡大断面図である。
【図５】本発明の椅子昇降用油圧装置の油圧回路である。
【符号の説明】
【００３８】
１          操作杆
３          足踏みポンプ
３３ａ      連通孔
３４ａ      排油孔
４          油タンク
５          第１の逆止弁
６          アキュムレータ
７          昇降用シリンダ
８          弁部材
８１        第１のオリフィス
８２        第２のオリフィス
８３        第２の逆止弁
【図１】
2006280582.tif 000003
【図２】
2006280582.tif 000004
【図３】
2006280582.tif 000005
【図４】
2006280582.tif 000006
【図５】
2006280582.tif 000007
【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
操作杆が上昇することで油を吸引し、操作杆を踏み込むことで貯留されている油を排出し、かつ、前記操作杆を最下降位置まで踏み込むことで貯留されている油を排出する足踏みポンプと、
該足踏みポンプより排出される油の油圧によって開放され、前記足踏みポンプを最下降位置まで下降されると開放され、かつ、逆止側からの油の通過させて前記足踏みポンプを介して油タンクに戻す逆止弁と、
該逆止弁の逆止側にオリフィス等の流量調整手段を介して接続された座部昇降用の昇降用シリンダと、
前記足踏みポンプよりの油が前記逆止弁を介して供給されると油の一部を貯留するアキュムレータとから構成し、
前記足踏みポンプより供給される油の一部を前記アキュムレータに貯留すると共に昇降用シリンダにも供給して上昇させ、前記足踏みポンプよりの油の供給が停止されると前記アキュムレータに貯留されている油により昇降用シリンダを上昇し続け、また、前記逆止弁が前記足踏みポンプによって開放されると前記アキュムレータおよび昇降用シリンダ内の油が前記足踏みポンプ内を介して油タンクに戻されることを特徴とする椅子昇降用油圧装置。
【請求項２】
操作杆が上昇することで油を吸引し、操作杆を踏み込むことで貯留されている油を排出し、かつ、前記操作杆を最下降位置まで踏み込むことで貯留されている油を排出する足踏みポンプと、
該足踏みポンプより排出される油の油圧によって開放され、前記足踏みポンプを最下降位置まで下降されると開放され、かつ、逆止側からの油の通過させて前記足踏みポンプを介して油タンクに戻す第１の逆止弁と、
前記足踏みポンプよりの油が前記第１の逆止弁を介して供給されると油の一部を貯留するアキュムレータと、
前記足踏みポンプからの前記第１の逆止弁を介して供給される油の油量を絞るオリフィス等の流量調整手段と、
該流量調整手段と並列接続され前記足踏みポンプよりの油の流れを阻止する第２の逆止弁と、
前記第１の流量調整手段および前記第２の逆止弁に接続された昇降用シリンダとから構成し、
前記足踏みポンプより供給される油の一部を前記アキュムレータに貯留すると共に前記第１の流量調整手段を介して昇降用シリンダに供給して上昇し、前記足踏みポンプよりの油の供給が停止されると前記アキュムレータに貯留されている油が前記流量調整手段を介して前記昇降用シリンダに供給されて上昇し、また、前記第１の逆止弁が前記足踏みポンプによって開放されると、前記アキュムレータよりの油が前記第１の逆止弁から前記足踏みポンプを介して油タンクに戻され、また、前記昇降用シリンダ内の油が前記第２の逆止弁から前記足踏みポンプを介して油タンクに戻されることを特徴とする椅子昇降用油圧装置。
【請求項３】
前記アキュムレータに対して並列に、前記昇降用シリンダにおける下降の始動時および停止時のショックを緩和するための小容量の第２のアキュムレータを接続したことを特徴とする請求項１または２記載の椅子昇降用油圧装置。
【請求項４】
前記第２の逆止弁に第２のオリフィス等の流量調整手段を形成したことを特徴とする請求項２に記載の椅子昇降用油圧装置。
【請求項５】
前記足踏みポンプの排油経路中に第２のオリフィス等の流量調整手段を形成したことを特徴とする請求項２に記載の椅子昇降用油圧装置。
【手続補正２】
【補正対象書類名】明細書
【補正対象項目名】０００６
【補正方法】変更
【補正の内容】
【０００６】
本発明の椅子昇降用油圧装置は前記した目的を達成せんとするもので、請求項１の手段は、操作杆が上昇することで油を吸引し、操作杆を踏み込むことで貯留されている油を排出し、かつ、前記操作杆を最下降位置まで踏み込むことで貯留されている油を排出する足踏みポンプと、該足踏みポンプより排出される油の油圧によって開放され、前記足踏みポンプを最下降位置まで下降されると開放され、かつ、逆止側からの油の通過させて前記足踏みポンプを介して油タンクに戻す逆止弁と、該逆止弁の逆止側にオリフィス等の流量調整手段を介して接続された座部昇降用の昇降用シリンダと、前記足踏みポンプよりの油が前記逆止弁を介して供給されると油の一部を貯留するアキュムレータとから構成し、前記足踏みポンプより供給される油の一部を前記アキュムレータに貯留すると共に昇降用シリンダにも供給して上昇させ、前記足踏みポンプよりの油の供給が停止されると前記アキュムレータに貯留されている油により昇降用シリンダを上昇し続け、また、前記逆止弁が前記足踏みポンプによって開放されると前記アキュムレータおよび昇降用シリンダ内の油が前記足踏みポンプ内を介して油タンクに戻されることを特徴とする。
【手続補正３】
【補正対象書類名】明細書
【補正対象項目名】０００７
【補正方法】変更
【補正の内容】
【０００７】
請求項２の手段は、操作杆が上昇することで油を吸引し、操作杆を踏み込むことで貯留されている油を排出し、かつ、前記操作杆を最下降位置まで踏み込むことで貯留されている油を排出する足踏みポンプと、該足踏みポンプより排出される油の油圧によって開放され、前記足踏みポンプを最下降位置まで下降されると開放され、かつ、逆止側からの油の通過させて前記足踏みポンプを介して油タンクに戻す第１の逆止弁と、前記足踏みポンプよりの油が前記第１の逆止弁を介して供給されると油の一部を貯留するアキュムレータと、前記足踏みポンプからの前記第１の逆止弁を介して供給される油の油量を絞るオリフィス等の流量調整手段と、該流量調整手段と並列接続され前記足踏みポンプよりの油の流れを阻止する第２の逆止弁と、前記第１の流量調整手段および前記第２の逆止弁に接続された昇降用シリンダとから構成し、前記足踏みポンプより供給される油の一部を前記アキュムレータに貯留すると共に前記第１の流量調整手段を介して昇降用シリンダに供給して上昇し、前記足踏みポンプよりの油の供給が停止されると前記アキュムレータに貯留されている油が前記流量調整手段を介して前記昇降用シリンダに供給されて上昇し、また、前記第１の逆止弁が前記足踏みポンプによって開放されると、前記アキュムレータよりの油が前記第１の逆止弁から前記足踏みポンプを介して油タンクに戻され、また、前記昇降用シリンダ内の油が前記第２の逆止弁から前記足踏みポンプを介して油タンクに戻されることを特徴とする。